(57)【要約】【課題】除湿空調装置の小型化と省エネルギーとを達成することができる空調システムを提供すること。【解決手段】導入した外気を除湿する複数の除湿空調装置１と、複数の除湿空調装置１に接続され、除湿した外気と室内を環流する還気とを混合するダンパー２と、ダンパー２により混合した外気と還気とを室内に供給する給気ブロワ３１とを備え、複数の除湿空調装置１により除湿した外気をダンパー２に集中させるようにしたので、除湿空調装置１の内部にダンパーと給気ブロワとを設ける必要がない。このため、除湿空調装置１を小型なものにでき、省エネルギーを達成できる。【選択図】        図１
2007315734.tif 000002
【特許請求の範囲】
【請求項１】
導入した外気を除湿する複数の除湿空調装置と、
複数の除湿空調装置に接続され、除湿した外気と室内を環流する還気とを混合するダンパーと、
ダンパーにより混合した外気と還気とを室内に供給する給気ブロワと
を備え、
複数の除湿空調装置により除湿した外気をダンパーに集中させることを特徴とする空調システム。
【請求項２】
導入した外気を除湿する除湿空調装置と、
除湿空調装置に接続され、除湿した外気と室内を環流する還気とを混合するダンパーと、
ダンパーにより混合した外気と還気とを室内に供給する複数の給気ブロワと
を備え、
ダンパーにより混合した外気と還気とを複数の給気ブロワに分配して室内に供給することを特徴とする空調システム。
【請求項３】
導入した外気を除湿する複数の除湿空調装置と、
複数の除湿空調装置に接続され、除湿した外気と室内を環流する還気とを混合するダンパーと、
ダンパーにより混合した外気と還気とを室内に供給する複数の給気ブロワと
を備え、
複数の除湿空調装置により除湿した外気をダンパーに集中させるとともに、ダンパーにより混合した外気と還気とを複数の給気ブロワに分配して室内に供給することを特徴とする空調システム。
【発明の詳細な説明】
【技術分野】
【０００１】
本発明は、空調システムに関し、導入した外気を除湿して室内に供給する除湿空調装置を備えた空調システムに関するものである。
【背景技術】
【０００２】
従来、導入した外気を除湿して、スーパーマーケット、コンビニエンスストア、ショッピングセンター等の店舗の室内に供給する除湿空調装置を備えた空調システムが知られている。図４に基づいて、この空調システムに適用するシングルロータタイプの除湿空調装置を説明する。なお、図４は、従来から知られているシングルロータタイプの除湿空調装置を示す概略構成図である。
【０００３】
シングルロータタイプの除湿空調装置１００は、装置の小型化および省エネルギーを目的としたものであり、隔壁１０１を設けることにより、処理側となる導入通路１１０と、再生側となる排気通路１２０とが並設するように内部を画成してある。そして、導入通路１１０と排気通路１２０とに跨るように、除湿再生ロータ１３０が回転可能に配設してある。除湿再生ロータ１３０には、ゼオライト系などの吸着剤がコーティングしてあり、導入通路１１０に供給された外気が除湿再生ロータ１３０を通過する際に外気の水分を吸着する。このとき、水分が凝縮され、外気は低湿度で高温な空気となる。一方、排気通路１２０に供給された外気が除湿再生ロータ１３０を通過する際に除湿再生ロータ１３０を乾燥し、吸着されている水分を放出する。このとき、水分が蒸発し、外気は高湿度で低温な空気となる。
【０００４】
また、導入通路１１０の外気導入側には、冷却器１１１が配設してあり、導入通路１１０の室内送気側には、除湿再生ロータ１３０から室内送気側に向けて、熱交換器１１２、ダンパー１１３、給気ブロワ１１４が順番に配設してある。冷却器１１１は、導入通路１１０の空気、すなわち、導入通路１１０に供給された外気を冷却するものであり、導入通路１１０に位置する除湿再生ロータ１３０に低温な空気を供給可能である。熱交換器１１２は、店舗の室内に供給する空気が所望の温度よりも低い場合に、空気を加熱する一方、店舗の室内に供給する空気が所望の温度よりも高い場合に、空気を冷却するものである。したがって、冬期等のように外気が所望の温度よりも低い場合にも低湿度で所望の温度の空気が供給可能であり、夏期等のように外気が所望の温度よりも高い場合にも低湿度で所望の温度の空気が供給可能である。ダンパー１１３は、外気と室内還気とを混合するものであり、混合された空気は給気ブロワ１１４に供給される。給気ブロワ１１４は、導入通路１１０に外気を供給するものであり、供給された外気は、導入通路１１０に位置する冷却器１１１、除湿再生ロータ１３０、熱交換器１１２、ダンパー１１３および給気ブロワ１１４を経由して店舗の室内に供給される。
【０００５】
排気通路１２０の排気側には排気ブロワ１２１が配設してあり、排気通路１２０の外気導入側には熱交換器１２２が配設してある。排気ブロワ１２１は、排気通路１２０内の空気を外部に排出するものであり、排気通路１２０の空気は、排気通路１２０に配設した熱交換器１２２および除湿再生ロータ１３０を経由して排気ブロワ１２１から外部に排出される。熱交換器１２２は、排気通路１２０の空気、すなわち、排気通路１２０に導入された外気を加熱するものであり、排気通路１２０に位置する除湿再生ロータ１３０に高温な空気を供給可能である。そして、熱交換器１２２から供給された空気は、排気通路１２０に位置する除湿再生ロータ１３０を通過する際に、除湿再生ロータ１３０を乾燥し、除湿再生ロータ１３０を再生する（たとえば、特許文献１および特許文献２参照）。
【０００６】
【特許文献１】特開２００２−１３０７３７号公報
【特許文献２】特開２００４−１９０９０７号公報
【発明の開示】
【発明が解決しようとする課題】
【０００７】
しかしながら、上述したシングルロータタイプの除湿空調装置１００を備えた空調システムは、除湿する空気流（処理空気流）と除湿再生ロータ１３０を再生する空気流（再生空気流）とを生成する給気ブロワ１１４および排気ブロワ１２１と、これらを駆動する電動機等が除湿空調装置１００の内部に必要となる。このため、除湿空調装置１００の大型化を招き、消費エネルギーが過大なものとなっていた。
【０００８】
本発明は、上記実情に鑑みて、除湿空調装置の小型化と省エネルギーとを達成することができる空調システムを提供することを目的とする。
【課題を解決するための手段】
【０００９】
上記の目的を達成するために、本発明の請求項１にかかる空調システムは、導入した外気を除湿する複数の除湿空調装置と、複数の除湿空調装置に接続され、除湿した外気と室内を環流する還気とを混合するダンパーと、ダンパーにより混合した外気と還気とを室内に供給する給気ブロワとを備え、複数の除湿空調装置により除湿した外気をダンパーに集中させることを特徴とする。
【００１０】
また、本発明の請求項２にかかる空調システムは、導入した外気を除湿する除湿空調装置と、除湿空調装置に接続され、除湿した外気と室内を環流する還気とを混合するダンパーと、ダンパーにより混合した外気と還気とを室内に供給する複数の給気ブロワとを備え、ダンパーにより混合した外気と還気とを複数の給気ブロワに分配して室内に供給することを特徴とする。
【００１１】
また、本発明の請求項３にかかる空調システムは、導入した外気を除湿する複数の除湿空調装置と、複数の除湿空調装置に接続され、除湿した外気と室内を環流する還気とを混合するダンパーと、ダンパーにより混合した外気と還気とを室内に供給する複数の給気ブロワとを備え、複数の除湿空調装置により除湿した外気をダンパーに集中させるとともに、ダンパーにより混合した外気と還気とを複数の給気ブロワに分配して室内に供給することを特徴とする。
【発明の効果】
【００１２】
本発明にかかる空調システムは、複数の除湿空調装置により除湿した外気をダンパーに集中させて還気と混合した後、室内に供給するので、除湿空調装置の内部にダンパーと給気ブロワとを設ける必要がない。このため、除湿空調装置を小型なものにでき、省エネルギーを達成できる。また、室内で必要となる除湿能力に対応して除湿空調装置の数量を選択すればよいので、除湿能力に対応する除湿空調装置を個々に企画する必要がない。
【００１３】
また、本発明にかかる空調システムは、ダンパーにより混合した外気と還気とを複数の給気ブロワに分配して供給するので、除湿空調装置の内部にダンパーと給気ブロワとを設ける必要がない。このため、除湿空調装置を小型なものにでき、省エネルギーを達成できる。また、除湿した空気を室内の必要となる箇所に分配して供給できる。
【００１４】
また、本発明にかかる空調システムは、複数の除湿空調装置により除湿した外気をダンパーに集中させるとともに、ダンパーにより混合した外気と還気とを複数のブロワに分配して室内に供給するので、除湿空調装置の内部にダンパーと給気ブロワとを設ける必要がない。このため、除湿空調装置を小型なものにでき、省エネルギーを達成できる。また、室内で必要となる除湿能力に対応して除湿空調装置の数量を選択すればよいので、除湿能力に対応する除湿空調装置を個々に企画する必要がなく、また、除湿した空気を室内の必要となる箇所に分配して供給できる。
【発明を実施するための最良の形態】
【００１５】
以下に添付図面を参照して、本発明にかかる空調システムの好適な実施の形態を詳細に説明する。なお、この実施の形態によりこの発明が限定されるものではない。
【００１６】
（実施の形態１）
図１に基づいて、本発明の実施の形態１にかかる空調システムを説明する。なお、図１は、本発明の実施の形態１にかかる空調システムを示す概略構成図である。
【００１７】
図１に示すように、本発明の実施の形態１にかかる空調システムは、複数の除湿空調装置１と、一のダンパー２と、一のチャンバーボックス３とを有している。
【００１８】
ここで例示する除湿空調装置１は、シングルロータタイプのものであり、内部に隔壁１０を設けることにより、処理側となる導入通路１１と、再生側となる排気通路１２とが並設するように画成してある。そして、導入通路１１と排気通路１２とに跨るように、除湿再生ロータ１３が回転可能に配設してある。
【００１９】
除湿再生ロータ１３には、ゼオライト系などの吸着剤がコーティングしてあり、導入通路１１に導入された外気が除湿再生ロータ１３を通過する際に水分を吸着する。このとき、水分が凝縮され、外気は低湿度で高温な空気となる。一方、排気通路１２に導入された外気が除湿再生ロータ１３を通過する際に除湿再生ロータ１３を乾燥し、吸着されている水分を放出する。このとき、水分が蒸発し、外気は高湿度で低温な空気となる。
【００２０】
また、導入通路１１の外気導入側には、冷却器１４が配設してあり、導入通路１１の室内送気側には、熱交換器１５が配設してある。冷却器１４は、導入通路１１の空気、すなわち、導入通路１１に導入された外気を冷却するものであり、導入通路１１に位置する除湿再生ロータ１３に低温な空気を供給可能である。熱交換器１５は、ダンパー２に供給する空気が所望の温度よりも低い場合に、空気を加熱する一方、ダンパー２に供給する空気が所望の温度よりも高い場合に、空気を冷却するものである。したがって、冬期等のように外気が所望の温度よりも低い場合にも低湿度で所望の温度の空気が供給可能であり、夏期等のように外気が所望の温度よりも高い場合にも低湿度で所望の温度の空気が供給可能である。
【００２１】
排気通路１２の排気側には排気ブロワ１６が配設してあり、排気通路１２の外気導入側には熱交換器１７が配設してある。排気ブロワ１６は、排気通路１２内の空気を外部に排出するものであり、排気通路１２の空気は、排気通路１２に配設した熱交換器１７および除湿再生ロータ１３を経由して排気ブロワ１６から外部に排出される。熱交換器１７は、排気通路１２の空気、すなわち、排気通路１２に導入された外気を加熱するものであり、排気通路１２に位置する除湿再生ロータ１３に高温な空気を供給可能である。そして、熱交換器１７から導入された空気は、排気通路１２に位置する除湿再生ロータ１３を通過する際に、除湿再生ロータ１３を乾燥し、除湿再生ロータ１３を再生する。
【００２２】
これら複数の除湿空調装置１の導入通路１１の室内送気側には、ダクト１８を介して上述した一のダンパー２が接続してある。ダンパー２は、除湿空調装置１から供給された空気（外気）と、スーパーマーケット、コンビニエンスストア、ショッピングセンター等の店舗の室内の還気（以下、室内還気という）とを混合した後に、チャンバーボックス３に供給するものであり、外気と室内還気とを任意の比率で混合可能である。
【００２３】
ダンパー２には、ダクト２１を介して上述した一のチャンバーボックス３が接続してある。チャンバーボックス３は、ダンパー２で混合した外気と室内還気とを店舗の室内に供給するものであり、内部に一の給気ブロワ３１を有している。
【００２４】
給気ブロワ３１は、ダンパー２で混合した外気と室内還気とを店舗の室内に供給するとともに、除湿空調装置１の導入通路１１に外気を導入し、導入された外気は、上述したように、導入通路１１に位置する冷却器１４、除湿再生ロータ１３および熱交換器１５を経由して、ダンパー２に供給される。
【００２５】
また、実施の形態１にかかる空調システムは、外気情報計測センサ、処理後情報計測センサ、還気情報計測センサおよび送気情報計測センサ（以上図示せず）を有している。外気情報計測センサは、外気の温度および湿度と風量を計測するものであり、処理後情報計測センサは、除湿空調処理後の空気の温度および湿度と風量を計測するものである。また、還気情報計測センサは、還気の温度および湿度と風量を計測するものであり、送気情報計測センサは、室内に供給する空気の温度および湿度と風量を計測するものである。
【００２６】
さらに、実施の形態１にかかる空調システムは、外気情報計測センサ、処理後情報計測センサ、還気情報計測センサおよび送気情報計測センサが計測した空気の温度および湿度と風量に基づいて、冷却器１４、除湿再生ロータ１３、熱交換器１５，１７、排気ブロワ１６および給気ブロワ３１を制御する制御装置（図示せず）を有している。
【００２７】
上述した実施の形態１にかかる空調システムにおいて、除湿再生ロータ１３が回転した状態で、給気ブロワ３１を稼働すると、各除湿空調装置１の導入通路１１に外気が導入される。導入された外気は、冷却器１４で冷却された後に、除湿再生ロータ１３を通過する。そして、除湿再生ロータ１３を外気が通過する際に、水分が吸着され、低湿度で高温な空気となる。その後、除湿再生ロータ１３を通過した空気は、熱交換器１５を経由してダンパー２に供給される。ここで、夏期等のように冷房する必要がある場合には、除湿再生ロータ１３を通過した空気が適温となるように熱交換器１５を稼働し、冬期等のように暖房する必要がある場合には、除湿再生ロータ１３を通過した空気が適温となるように、熱交換器１５を稼働する。なお、外気の湿度が低く除湿する必要がない場合には、除湿再生ロータ１３の回転を停止する。
【００２８】
複数の除湿空調装置１からダンパー２に供給された空気は、室内還気と混合した後、チャンバーボックス３に供給される。そして、チャンバーボックス３の内部に備えた給気ブロワ３１により店舗の室内に供給される。
【００２９】
ここで、除湿空調装置１の処理空気量（給気ブロワ３１の風量、除湿再生ロータ１３の回転数等）やダンパー２の開度（チャンバーボックスに供給する空気と室内還気との混合比）は、外気情報計測センサ、処理後情報計測センサ、還気情報計測センサおよび送気情報計測センサが計測した空気の温度および湿度と風量に基づいて、室内に送気する空気の温度および湿度と風量とが予め設定した目標値となるように、制御装置が制御する。
【００３０】
一方、除湿再生ロータ１３を回転させた状態で、各除湿空調装置１の排気ブロワ１６を稼働すると、排気通路１２に外気が導入される。導入された外気は、熱交換器１７で加熱され、高温な空気となる。そして、この高温となった空気は除湿再生ロータ１３を通過する際に、除湿再生ロータ１３を乾燥させて、除湿再生ロータ１３を再生する。その後、この空気は、排気ブロワ１６を経由して除湿空調装置１の外部に排出される。
【００３１】
上述した実施の形態１にかかる空調システムによれば、複数の除湿空調装置１により除湿した外気をダンパー２に集中させて室内還気と混合した後、室内に供給するので、除湿空調装置１の内部にダンパーと給気ブロワとを設ける必要がない。このため、除湿空調装置１を小型なものにでき、省エネルギーを達成できる。また、室内で必要となる除湿能力に対応して除湿空調装置１の数量を選択すればよいので、除湿能力に対応する除湿空調装置１を個々に企画する必要がない。
【００３２】
（実施の形態２）
図２に基づいて、本発明の実施の形態２にかかる空調システムを説明する。図２は、本発明の実施の形態２にかかる空調システムを示す概略構成図である。
【００３３】
図２に示すように、本発明の実施の形態２にかかる空調システムは、一の除湿空調装置１と、一のダンパー２と、複数のチャンバーボックス３とを有している。
【００３４】
ここで例示する、除湿空調装置１、ダンパー２およびチャンバーボックス３は、上述した実施の形態１にかかる空調システムを構成する除湿空調装置１、ダンパー２およびチャンバーボックス３と異なるところはないので、同一の符号を付して説明を省略する。
【００３５】
一の除湿空調装置１の導入通路１１の室内送気側には、ダクト１８を介して一のダンパー２が接続してある。ダンパー２には、ダクト２１を介して複数のチャンバーボックス３が接続してある。
【００３６】
このような実施の形態２にかかる空調システムにおいて、除湿再生ロータ１３が回転した状態で各チャンバーボックス３の給気ブロワ３１を稼働すると、除湿空調装置１の導入通路１１に外気が導入される。導入された外気は、冷却器１４で冷却された後に、除湿再生ロータ１３を通過する。そして、除湿再生ロータ１３を外気が通過する際に、水分が吸着され、低湿度で高温な空気となる。その後、除湿再生ロータ１３を通過した空気は、熱交換器１５を経由してダンパー２に供給される。ここで、夏期等のように冷房する必要がある場合には、除湿再生ロータ１３を通過した空気が適温となるように熱交換器１５を稼働し、冬期等のように暖房する必要がある場合には、除湿再生ロータ１３を通過した空気が適温となるように、熱交換器１５を稼働する。なお、外気の湿度が低く除湿する必要がない場合には、除湿再生ロータ１３の回転を停止する。
【００３７】
一の除湿空調装置１からダンパー２に供給された空気は、室内還気と混合した後、各チャンバーボックス３に分配して供給される。そして、チャンバーボックス３の内部に備えた給気ブロワ３１により店舗の室内に供給される。
【００３８】
一方、除湿再生ロータ１３を回転させた状態で、一の除湿空調装置の排気ブロワ１６を稼働すると、排気通路１２に外気が導入される。導入された外気は、熱交換器１７で加熱され、高温な空気となる。そして、この高温となった空気は除湿再生ロータ１３を通過する際に、除湿再生ロータ１３を乾燥させて、除湿再生ロータ１３を再生する。その後、この空気は、排気ブロワ１６を経由して除湿空調装置１の外部に排出される。
【００３９】
上述した実施の形態２にかかる空調システムによれば、ダンパー２により混合した外気と還気とを複数の給気ブロワ３１に分配して供給するので、除湿空調装置１の内部にダンパーと給気ブロワとを設ける必要がない。このため、除湿空調装置１を小型なものにでき、省エネルギーを達成できる。また、除湿した空気を店舗の室内の必要となる箇所に分配して供給できる。
【００４０】
（実施の形態３）
図３に基づいて、本発明の実施の形態３にかかる空調システムを説明する。図３は、本発明の実施の形態３にかかる空調システムを示す概略構成図である。
【００４１】
図３に示すように、本発明の実施の形態３にかかる空調システムは、複数の除湿空調装置１と、一のダンパー２と、複数のチャンバーボックス３とを有している。
【００４２】
ここで例示する、除湿空調装置１、ダンパー２およびチャンバーボックス３は、上述した実施の形態１にかかる空調システムを構成する除湿空調装置１、ダンパー２およびチャンバーボックス３と異なるところはないので、同一の符号を付して説明を省略する。
【００４３】
複数の除湿空調装置１の導入通路１１の室内送気側には、ダクト１８を介して一のダンパー２が接続してある。ダンパー２には、ダクト２１を介して複数のチャンバーボックス３が接続してある。
【００４４】
このような実施の形態３にかかる空調システムにおいて、除湿再生ロータ１３が回転した状態で各チャンバーボックス３の給気ブロワ３１を稼働すると、各除湿空調装置１の導入通路１１に外気が導入される。導入された外気は、冷却器１４で冷却された後に、除湿再生ロータ１３を通過する。そして、除湿再生ロータ１３を外気が通過する際に、水分が吸着され、低湿度で高温な空気となる。その後、除湿再生ロータ１３を通過した空気は、熱交換器１５を経由してダンパー２に供給される。ここで、夏期等のように冷房する必要がある場合には、除湿再生ロータ１３を通過した空気が適温となるように熱交換器１５を稼働し、冬期等のように暖房する必要がある場合には、除湿再生ロータ１３を通過した空気が適温となるように、熱交換器１５を稼働する。なお、外気の湿度が低く除湿する必要がない場合には、除湿再生ロータ１３の回転を停止する。
【００４５】
複数の除湿空調装置１からダンパー２に供給された空気は、室内還気と混合した後、各チャンバーボックス３に分配して供給される。そして、チャンバーボックス３の内部に備えた給気ブロワ３１により店舗の室内に供給される。
【００４６】
一方、除湿再生ロータ１３を回転させた状態で、各除湿空調装置の排気ブロワ１６を稼働すると、排気通路１２に外気が導入される。導入された外気は、熱交換器１７で加熱され、高温な空気となる。そして、この高温となった空気は除湿再生ロータ１３を通過する際に、除湿再生ロータ１３を乾燥させて、除湿再生ロータ１３を再生する。その後、この空気は、排気ブロワ１６を経由して除湿空調装置１の外部に排出される。
【００４７】
上述した実施の形態３にかかる空調システムによれば、複数の除湿空調装置１により除湿した外気をダンパー２に集中させるとともに、ダンパー２により混合した外気と還気とを複数のブロワ３１に分配して室内に供給するので、各除湿空調装置１の内部にダンパーと給気ブロワとを設ける必要がない。このため、除湿空調装置１を小型なものにでき、省エネルギーを達成できる。また、室内で必要となる除湿能力に対応して除湿空調装置１の数量を選択すればよいので、除湿能力に対応する除湿空調装置を個々に企画する必要がなく、また、除湿した空気を室内の必要となる箇所に分配して供給できる。
【産業上の利用可能性】
【００４８】
以上のように、本発明にかかる空調システムは、導入した外気を除湿して室内に供給する除湿空調装置を備えた空調システムに有用であり、たとえば、スーパーマーケット、コンビニエンスストア、ショッピングセンター等の店舗に適用する空調システムに適している。
【図面の簡単な説明】
【００４９】
【図１】本発明の実施の形態１にかかる空調システムを示す概略構成図である。
【図２】本発明の実施の形態２にかかる空調システムを示す概略構成図である。
【図３】本発明の実施の形態３にかかる空調システムを示す概略構成図である。
【図４】従来から知られているシングルロータタイプの除湿空調装置を示す概略構成図である。
【符号の説明】
【００５０】
１    除湿空調装置
１０    隔壁
１１    導入通路
１２    排気通路
１３    除湿再生ロータ
１４    冷却器
１５    熱交換器
１６    排気ブロワ
１７    熱交換器
１８    ダクト
２    ダンパー
２１    ダクト
３    チャンバーボックス
３１    給気ブロワ
【図１】
2007315734.tif 000003
【図２】
2007315734.tif 000004
【図３】
2007315734.tif 000005
【図４】
2007315734.tif 000006